(57)【要約】  【課題】記録媒体に記録された静止画を検索して読み出し表示再生する際に、絵本、写真集、書籍等に多い、見開き表示を可能にする静止画ファイル装置およびその静止画表示方法を提供する。  【解決手段】記録媒体５３に記録された複数の静止画を検索して希望する静止画を再生表示する際に、静止画表示モードを１枚毎に表示する通常表示モード１２又は２枚の静止画を並べて表示する書籍モード１３を選択可能にする。この静止画表示モード１１は、表示静止画のアスペクト比が縦長か否かに応じて自動的に決定することも可能である。【選択図】図２
2006180025.tif 000002
【特許請求の範囲】
【請求項１】
複数の静止画が連続して記録された記録媒体および該記録媒体に記録された前記静止画を読み出して表示する表示部を含む静止画ファイル装置において、
前記記録媒体に記録された静止画を読み出して再生表示する際に、前記読み出された静止画を１枚毎表示するモードおよび連続する２枚の静止画を並べて表示するモードを有することを特徴とする静止画ファイル装置。
【請求項２】
前記通常モードおよび書籍モードは、前記静止画表示の際に、ユーザが選択可能にすることを特徴とする請求項１に記載の静止画ファイル装置。
【請求項３】
前記表示部は、２枚の静止画を左右に並べて表示する横長の表示画面を有することを特徴とする請求項１又は２に記載の静止画ファイル装置。
【請求項４】
記録媒体に記録された静止画情報を読み出して表示部に表示する静止画ファイル方法において、
前記読み出された静止画のアスペクト比を判断し、該アスペクト比の判断結果に応じて前記表示部に表示される静止画を１枚毎表示するモードと２枚の静止画を並べて表示するモードとで切換えて表示することを特徴とする静止画ファイル装置の静止画表示方法。
【請求項５】
表示静止画のアスペクト比を判断し、連続する２枚の表示静止画のアスペクト比が縦長であるとき、該２枚の静止画を並べて表示することを特徴とする請求項４に記載の静止画ファイル装置の静止画表示方法。
【請求項６】
表示される静止画が複数枚か否か判断し、複数枚の場合には表示静止画のアスペクト比が縦長か否か判断し、該判断結果が縦長であるとき２枚の静止画を並べて表示し、縦長でないとき前記静止画を個別に表示することを特徴とする請求項４に記載の静止画ファイル装置の静止画表示方法。
【発明の詳細な説明】
【技術分野】
【０００１】
本発明は静止画ファイル装置およびその静止画表示方法に関し、特にレター等の通常文書およびスキャンにより読み取られた書籍等の静止画を光、磁気又は電気的な記録媒体に記録し、ユーザが必要時に検索再生する静止画ファイル装置およびその静止画表示方法に関する。
【背景技術】
【０００２】
情報化時代の現代にあっては、各種の画像および文字情報が溢れている。斯かる情報は、従来記録紙に複写等により記録してファイルすることにより保存するのが一般的であった。しかし、斯かる従来の保存技法によると、保存する書類の数量が増加すると、その保存のスペースおよび重量が増加するので、その保存場所の確保が困難になる。また、保存した書類は、後の検索に時間を要し、効率的な活用が困難であった。
【０００３】
そこで、光磁気ディスク等の記録媒体を使用した静止画ファイルシステム又は光ファイルシステムが開発された。静止画ファイルシステムを使用して書類や書籍をスキャナで読み取り記録すると、１枚の記録媒体に多量の文字又は図形情報が記録可能であるので、スペースファクタが大幅に改善されるのみならず、コンピュータを用いてユーザが必要な情報を迅速に検索してディスプレイに表示又はコピーすることが可能であり、作業効率も大幅に改善される。そのために、多量の文書を取り扱うオフィス等では、今や静止画ファイルシステムは必須不可欠の事務機器となっている。
【０００４】
斯かる静止画ファイル装置に関する又は関連する従来技術は、種々の技術文献に開示されている。キーワードを使用して画像情報を短時間に効率的に検索する画像情報検索方法が開示されている（例えば、特許文献１参照。）。また、高解像度および標準解像度の入力画像データを処理して１表示画面上にそれぞれ又は同時に表示可能にする画像処理装置が開示されている（例えば、特許文献２参照。）。
【０００５】
【特許文献１】特開平１−１５２５７５号公報（第２頁、第１図）
【特許文献２】特開平１１−２４６４１号公報（第３−４頁、第１図）
【０００６】
図４は、一般的な静止画ファイル装置のシステム構成図である。この静止画ファイル装置４０は、静止画記録再生部（静止画ファイル装置）５０、ルータ６１および１台以上のＰＣ（Personal Computer）６２により構成される。そして、静止画記録再生部５０は、システムコントロール部（例えば、ＣＰＵ）５１、ローディング部５２、記録媒体（例えば、光ディスク）５３、データ読書部（ヘッド）５４、パネル操作部５５、表示部５６、リモコン（遠隔操作部）５７、再生部５８およびＬＡＮモジュール５９を含んでいる。
【０００７】
この静止画ファイル装置４０の動作を簡単に説明する。ユーザによるパネル操作部５５又はリモコン５７の操作に基づき、システムコントロール部５１は、ローディング部５２に搭載した記録媒体５３にヘッド５４により静止画情報を書き込む。また、記録媒体５３に書き込まれた静止画情報を再生（読み出し）するには、上述と同様のユーザの操作により、システムコントロール部５１の制御下で記録媒体５３に記録された静止画情報をヘッド５４により読み出し、再生部５８へ送り、映像信号（および音声信号）を外部へ出力する。同様に、この読み出された静止画情報は、例えば液晶表示パネル又はＣＲＴ等の表示部５６に表示する。また、表示部５６には、操作時の指示その他の関連情報等も表示され、ユーザの操作等を支援する。
【０００８】
静止画記録再生部５０が含んでいるＬＡＮモジュール５９は、ルータ６１を介してＰＣ６２と接続されている。そして、このＰＣ６２により外部から静止画記録再生装置５０を操作可能にしている。例えば、このＰＣ６２から所定のキーワードを入力することにより、静止画記録再生装置５０に記録された静止画情報を検索して、該当する静止画情報を出力させることが可能である。
【発明の開示】
【発明が解決しようとする課題】
【０００９】
上述の如く、静止画ファイル装置は、ディスク状の記録媒体５３に多数の文書等の静止画をファイルし、必要に応じて検索して再生可能であるので、極めて効率的である。しかし、例えば絵本、写真集、書籍（特に技術関係の解説書）等では、２頁にわたり又は見開頁を設けて１つの事項を記載又は説明し、或いは前頁の図面等を参照して次頁で解説する場合がある。斯かる場合に、単１頁の静止画を読み出し表示しても全体が読み取れず、理解が困難又は著しく非能率であるという課題があった。
【００１０】
本発明は、従来技術の上述した課題に鑑みなされたものであり、斯かる課題又は不便を解消又は軽減可能な静止画ファイル装置およびその静止画表示方法を提供することを主たる目的とする。
【課題を解決するための手段】
【００１１】
前述の課題を解決するため、本発明による静止画ファイル装置およびその静止画表示方法は、次のような特徴的な構成を採用している。
【００１２】
（１）複数の静止画が連続して記録された記録媒体および該記録媒体に記録された前記静止画を読み出して表示する表示部を含む静止画ファイル装置において、
前記記録媒体に記録された静止画を読み出して再生表示する際に、前記読み出された静止画を１枚毎表示するモードおよび連続する２枚の静止画を並べて表示する静止画ファイル装置。
（２）前記通常モードおよび書籍モードは、前記静止画表示の際に、ユーザが選択可能にする上記（１）の静止画ファイル装置。
（３）前記表示部は、２枚の静止画を左右に並べて表示する横長の表示画面を有する上記（１）又は（２）の静止画ファイル装置。
（４）記録媒体に記録された静止画情報を読み出して表示部に表示する静止画ファイル方法において、
前記読み出された静止画のアスペクト比を判断し、該アスペクト比の判断結果に応じて前記表示部に表示される静止画を１枚毎表示するモードと２枚の静止画を並べて表示するモードとで切換えて表示する静止画ファイル装置の静止画表示方法。
（５）表示静止画のアスペクト比を判断し、連続する２枚の表示静止画のアスペクト比が縦長であるとき、該２枚の静止画を並べて表示する上記（４）の静止画ファイル装置の静止画表示方法。
（６）表示される静止画が複数枚か否か判断し、複数枚の場合には表示静止画のアスペクト比が縦長か否か判断し、該判断結果が縦長であるとき２枚の静止画を並べて表示し、縦長でないとき前記静止画を個別に表示する上記（４）の静止画ファイル装置の静止画表示方法。
【発明の効果】
【００１３】
本発明の静止画ファイル装置およびその静止画表示方法によると、次の如き実用上の顕著な効果が得られる。即ち、最適な静止画表示モードが選択可能である。
その理由は、絵本、写真集および技術文献の如き書籍の静止画を表示する書籍モードでは、連続する２枚の静止画を並べて表示するので、実際の書籍の場合と同様に、静止画表示から容易に理解可能である。また、静止画ファイル装置５０の表示部５６を横長とすることにより、並べて表示される２枚の静止画の縦横比を変えることなく表示可能である。
【実施例】
【００１４】
以下、本発明による静止画ファイル装置およびその静止画表示方法の好適実施例の構成および動作を、添付図面を参照して説明する。尚、本発明による静止画ファイル装置の基本システム構成は、上述した図４のシステム構成と実質的に同様であるので、これを参照して説明する場合もある。
【００１５】
先ず、図１は、本発明による静止画ファイル装置の説明図である。図１の（Ａ）は、ユーザによる操作時に静止画記録再生装置５０の表示部５６に表示される表示画面を示す。また、図１の（Ｂ）は、本発明の静止画ファイル装置およびその静止画表示方法において、書籍表示時における再生された表示画面の表示例を示す。
【００１６】
即ち、図１の（Ａ）に示す如く、記録媒体５３に記録された静止画情報を再生表示する際には、表示部５６に静止画表示モード１１として「通常」モード１２および「書籍」モード１３の選択キーが表示される。これらのモード選択キー１２、１３は、ユーザが指等により触れることにより作動するタッチキー（又はソフトキー）である。
【００１７】
そこで、静止画表示モードにおいて、ユーザが「通常」モード１２を選択すると、記録媒体５３から読み出された静止画が、１枚毎に再生表示される。一方、ユーザが「書籍」モード１３を選択すると、図１の（Ｂ）に示す如く、２枚の静止画１４、１５が並べて同時に再生表示される。即ち、表示部５６には、例えばＮ頁と（Ｎ＋１）頁とが、書籍の頁構成（又は見開頁）と同様に左右に同時表示される。従って、上述した絵本の如く左右の頁に又は見開きで描かれた絵や写真、技術関連の書籍等において左の頁に描かれた図等を参照して右頁に解説する場合であっても、表示部５６の再生表示により容易に理解可能である。
【００１８】
本発明の静止画ファイル装置に使用する表示部５６のアスペクト比は、一般的な表示部５６のアスペクト比と異なり横長、例えば縦横比が約３：４であるのが好ましい。このように横長の表示画面を有する表示部５６を採用することにより、「書籍」モード１３では、２枚の静止画の全体を同時に表示することが可能である。一方、このような横長の表示画面を有する表示部５６を採用して「通常」モード１２を選択すると、１枚の静止画が表示される。その場合には、１枚の静止画全体を表示してもよいが、静止画を約２倍に拡大して、１枚の半分のみを表示し、残りの部分は周知の「スクロール」機能を使用して表示するようにしてもよい。又、画面を９０°回転させて縦長画面を得て、ここに１枚を表示してもよい。画面を有効に必要に応じて拡大した文字等を得ることができる。
【００１９】
次に、図２のフローチャートを参照して本発明による静止画ファイル装置の動作又は静止画ファイル装置の静止画表示方法の第１実施例を説明する。
【００２０】
先ず、表示番号Ｎ＝１として、初期化する（ステップＡ１）。そして、この静止画番号Ｎが最終ファイルか否か判断する（ステップＡ２）。最終ファイルの場合（ステップＡ２：Ｙｅｓ）には、この表示番号Ｎ（の静止画）を表示部５６に表示し（ステップＡ３）、処理を終了する。一方、最終ファイルでない場合（ステップＡ２：Ｎｏ）には、表示静止画Ｎのアスペクト比が縦長か否か判断する（ステップＡ４）。
【００２１】
上述した判断の結果、縦長のアスペクト比である場合（ステップＡ４：Ｙｅｓ）には、次（Ｎ＋１）頁の表示静止画のアスペクト比も縦長か否か判断する（ステップＡ５）。（Ｎ＋１）頁の静止画も縦長のアスペクト比である場合、即ち連続する２つの表示静止画のアスペクト比が縦長である場合（ステップＡ５：Ｙｅｓ）には、表示番号Ｎと（Ｎ＋１）の２枚の静止画を同時に表示する（ステップＡ６）。そして、表示静止画（Ｎ＋２）があるか否か判断し（ステップＡ７）、表示静止画（Ｎ＋２）がない場合（ステップＡ７：Ｎｏ）には処理を終了する。
【００２２】
一方、上述の判断で、表示静止画Ｎが縦長アスペクトでない場合（ステップＡ４：Ｎｏ）および表示静止画（Ｎ＋１）が縦長アスペクトでない場合（ステップＡ５：Ｎｏ）には、表示番号Ｎの静止画を表示する（ステップＡ８）。そして、番号Ｎを（Ｎ＋１）として（ステップＡ９）を表示し、上述したステップＡ２へ戻る。また、上述した表示静止画Ｎ＋２がある場合（ステップＡ７：Ｙｅｓ）には、番号ＮをＮ＋２として（ステップＡ１０）を表示し、上述したステップＡ２へ戻る。
【００２３】
上述の如く、この静止画ファイル方法では、再生表示時に表示静止画のアスペクトが縦長か否かを判断して、単一の静止画の表示又は隣り合う２枚の静止画の同時表示を行なう。これにより、静止画のアスペクトに応じて自動的に通常モード又は書籍モードで表示可能である。各静止画が各々別個のファイルとして記録される例を示したが、複数の静止画が１つのファイルに記録されるものとしても良い。
【００２４】
次に、図３のフローチャートを参照して、本発明による静止画ファイル装置の別の動作方法、即ち本発明の静止画ファイル方法の第２実施例について説明する。この実施例では、表示対象となる静止画すべてのアスペクト比を表示動作前に解析し、この解析結果に基づいて最適表示方法を決定する。
【００２５】
先ず、表示番号Ｎ＝１として、初期化する（ステップＢ１）。次に、表示対象の静止画が複数枚（２枚以上）であるか否か判断する（ステップＢ２）。複数でない場合（ステップＢ２：Ｎｏ）には、表示番号Ｎの静止画を表示部５６に表示する（ステップＢ３）。一方、表示対象の静止画が２枚以上である場合（ステップＢ２：Ｙｅｓ）には、表示対象の静止画のアスペクト比を判断し、即ち静止画が全体的に縦長であるか否か判断する（ステップＢ４）。
【００２６】
アスペクト比が縦長である場合（ステップＢ４：Ｙｅｓ）には、表示静止画（Ｎ＋１）があるか否か判断する（ステップＢ５）。表示静止画（Ｎ＋１）がある場合（ステップＢ５：Ｙｅｓ）には、表示番号Ｎおよび（Ｎ＋１）を表示し（ステップＢ６）、ない場合（ステップＢ５：Ｎｏ）には、表示番号Ｎを表示して（ステップＢ７）処理を終了する。次に、表示静止画（Ｎ＋２）があるか否か判断する（ステップＢ８）。ここで、表示静止画（Ｎ＋２）がある場合（ステップＢ８：Ｙｅｓ）には、Ｎ＝Ｎ＋２として（ステップＢ９）、上述したステップＢ５へ戻り、ない場合（ステップＢ８：Ｎｏ）には、処理を終了する。
【００２７】
一方、上述したステップＢ４で、アスペクト比が縦長でない場合（ステップＢ４：Ｎｏ）には、表示番号Ｎ（の静止画）を表示する（ステップＢ１０）。そして、表示静止画（Ｎ＋１）があるか否かを判断する（ステップＢ１１）。表示静止画（Ｎ＋１）がない場合（ステップＢ１１：Ｎｏ）には処理を終了し、ある場合（ステップＢ１１：Ｙｅｓ）にはＮ＝Ｎ＋１として（ステップＢ１２）、上述したステップＢ１０へ戻り、全ての静止画を表示し終えるまで、ステップＢ１０〜Ｂ１２を反復する。
【００２８】
上述の如く、本発明による第２実施例の静止画ファイル装置の静止画表示方法では、ステップＢ４で表示静止画のアスペクト比を予め判断し、その判断結果に基づき静止画の表示方法を１枚毎又は２枚並べて表示するかを決定することを特徴とする。
【００２９】
以上、本発明による静止画ファイル装置およびその静止画表示方法の好適実施例の構成および動作を説明した。しかし、斯かる実施例は、本発明の単なる例示に過ぎず、何ら本発明を限定するものではない。本発明の要旨を逸脱することなく、特定用途に応じて種々の変形変更が可能であること、当業者には容易に理解できるところである。例えば、Ｎ＋１を右側に表示するとして説明したが、表示される位置を切換可能にしても良い。例えば、Ｎページを右側に表示し、Ｎ＋１ページを左側に表示する。この切換は手動によるものでも良いし所定の情報を検出することにより切換えても良い。
【図面の簡単な説明】
【００３０】
【図１】本発明による静止画ファイル装置の説明図であり、（Ａ）はユーザによる操作時の表示画面、（Ｂ）は書籍表示時における再生された表示画面の表示例を示す図である。
【図２】本発明の一実施例による静止画ファイル装置の動作又は静止画ファイル装置の静止画表示方法の動作を説明するためのフローチャートである。
【図３】本発明の他の実施例による静止画ファイル装置の動作又は静止画ファイル装置の静止画表示方法の動作を説明するためのフローチャートである。
【図４】一般的な静止画ファイル装置のシステム構成図である。
【符号の説明】
【００３１】
１１  静止画表示モード
１２  通常表示モード
１３  書籍表示モード
１４、１５  並べて表示された２枚の静止画像
５０  静止画ファイル装置（静止画記録再生部）
５３  記録媒体
５６  表示部
【図１】
2006180025.tif 000003
【図２】
2006180025.tif 000004
【図３】
2006180025.tif 000005
【図４】
2006180025.tif 000006